(57)【要約】【課題】  薄膜を電気接点として使用でき、しかも確実な接触が可能で着脱回数が増えても電気接点が磨耗しにくい照明装置を提供する。【解決手段】支持体２は支持側電極３を有する。面発光光源１は支持側電極３に接触する光源側電極７、８を有して支持体２に着脱自在に取付けられている。光源側電極７、８と支持側電極３とは、面発光光源１の支持体２への着脱の際に互いに対向方向にのみ接触離間する。この場合、面発光光源１は基板上に有機発光層および電極層をもつ有機ＥＬ光源であり、支持体２は面発光光源１の取付時に光源側電極７、８の表面に平行な方向に面発光光源１が動かないように支持側電極３が光源側電極７、８の表面に対して垂直方向に押圧するものである。【選択図】        図１
2006331855.tif 000002
【特許請求の範囲】
【請求項１】
支持側電極を有する支持体と、前記支持側電極に接触する光源側電極を有して前記支持体に着脱自在に取付けられた面発光光源とを備え、前記光源側電極と前記支持側電極とは、前記面発光光源の前記支持体への着脱の際に互いに対向方向にのみ接触離間するように構成した照明装置。  
【請求項２】
前記面発光光源は基板上に有機発光層および電極層をもつ有機ＥＬ光源であり、
前記支持体は前記面発光光源の取付時に前記光源側電極の表面に平行な方向に前記面発光光源が動かないように前記支持側電極が前記光源側電極の表面に対して垂直方向に押圧する請求項１記載の照明装置。
【発明の詳細な説明】
【技術分野】
【０００１】
本発明は、ＥＬ（エレクトロルミネッセンス）光源に代表される面発光光源を用いた照明装置に関するものである。
【背景技術】
【０００２】
有機ＥＬ光源は、一般に透明基板の片側の表面に、透明電極からなる陽極層、ホール輸送層、発光層、電子注入層、陰極層の各層をこの順序で積層した構成である。陽極層と陰極層の間に電圧を印加することによって、陰極層側から注入された電子と陽極層側から注入されたホールが発光層内で再結合し、これによって発光層で発光した光が透明電極および透明基板を通して取り出される。
【０００３】
透明基板は、気密性、表面の平滑性、耐熱性などの点から一般的にガラスが用いられる。また、その上に形成される電極層および発光層などの各層は、均一な薄膜である必要から、蒸着などの手法で形成される。
【０００４】
蒸着で形成された電極は、厚さ１０００Å程度の極薄膜であり、この薄膜は、引っかきなどの物理的衝撃に弱いのが一般的である。そのため、電極薄膜にメタライズ処理をするなどして薄膜上にさらに導電性の膜を保護膜として形成するとか、陽極、陰極にそれぞれ電線等を付けて配線し別の個所で着脱させるのが一般的である。
【０００５】
ところで、有機ＥＬ光源の寿命（一般的に輝度が高いほど寿命が短い）は、例えば輝度１０００ｃｄ／ｍ２  の白色有機ＥＬの場合、数１０００時間程度である。したがって、照明装置用の光源として用いる場合、有機ＥＬ光源は、交換のために照明器具から着脱できる構造でなければならない。着脱できる構造にすれば、清掃など有機ＥＬ光源の交換以外にも利用することが可能で、その場合電極は着脱の際に起こる摩擦や衝撃に耐えうる必要がある。
【０００６】
従来例（特許文献１参照）によれば、面発光光源を支持体に支持する際に面発光光源に設けた電極が支持体側の電極と電極表面に平行な方向に擦れ合って接触していた。
【特許文献１】特開２００４−５５５３５公報
【発明の開示】
【発明が解決しようとする課題】
【０００７】
電極は一般的にインジウム−錫酸化物（ＩＴＯ）、インジウム−亜鉛酸化物（ＩＺＯ）などが用いられ、それがガラス基板上に極薄膜（厚さ１０００Å程度）として形成される。そのため電極薄膜は電極として通電性能は十分でも比較的もろい。その上メタライズ処理された膜も程度に差はあれ、引っかきなどに弱い。
【０００８】
一方、電極薄膜を着脱の際の電気的接点として利用する場合、器具側の接点は、電気的に確実な接続を行うためにこの薄膜に対して十分な圧力で接する必要がある。また、着脱させる際に、有機ＥＬ光源が器具に対して電極表面と平行方向に移動するため、電極に傷ができる構造になる。
【０００９】
したがって、着脱を何度も繰り返せば、薄膜は電気接点としての機能を果たさなくなるおそれがある。
【００１０】
そのため、電気接点として機能させるには、例えば薄膜の上に接点となる別の導電部材を付けるなどの対策が必要である。
【００１１】
したがって、この発明の目的は、薄膜を電気接点として使用でき、しかも確実な接触が可能で着脱回数が増えても電気接点が磨耗しにくい照明装置を提供することである。
【課題を解決するための手段】
【００１２】
この発明の照明装置は、支持体が支持側電極を有する。面発光光源は前記支持側電極に接触する光源側電極を有して前記支持体に着脱自在に取付けられている。前記光源側電極と前記支持側電極とは、前記面発光光源の前記支持体への着脱の際に互いに対向方向にのみ接触離間するようにしたものである。  
【００１３】
上記構成において、前記面発光光源は基板上に有機発光層および電極層をもつ有機ＥＬ光源であり、前記支持体は前記面発光光源の取付時に前記光源側電極の表面に平行な方向に前記面発光光源が動かないように前記支持側電極が前記光源側電極の表面に対して垂直方向に押圧するものである。
【発明の効果】
【００１４】
この発明の照明装置によれば、光源側電極に支持側電極が摺接することがないので着脱回数が増えても電極を磨耗しにくくすることができる。電極薄膜に対し、電気的接続に十分な圧力が加わり、電極表面と平行な方向の動きや力が加わらないため、面発光光源の着脱によって薄膜が剥がれるのを防ぐことができる。
【発明を実施するための最良の形態】
【００１５】
この発明の第１の実施の形態を図１により説明する。すなわち、この照明装置は、面発光光源１を支持体２に支持し、支持体２を器具本体（図示せず）に取付け、支持体２の支持側電極３に給電している。
【００１６】
面発光光源１は例えば有機ＥＬ光源であり、ホール輸送層、発光層および電子注入層を順次積層した構成を有する有機ＥＬ発光層の両面に電極膜を積層し、一方の電極膜を透明としたもので透明の基板に支持して金属カバー等で密閉封止されている。そして透明な電極膜側を発光面とし、基板の一辺側の縁部の表面で発光面と同一面側に光源側電極７、８を設け、これらを電極膜と接続している。
【００１７】
支持体２は例えば四角形のプラスチックパネルを用い、周縁に面発光光源１が入り込む枠部４ａ〜４ｄを設け、その１つの枠部４ｄを可動枠部として、固定具（図示せず）により着脱自在に固定している。支持側電極３は枠部４ｄの表面で、光源側電極７、８に対応した位置に、下面から上面にかけて連続するように設けられている。枠部４ｄに対向する枠部４ｂには面発光光源１の縁部が嵌合する溝６を枠部４ｄに向けて形成している。したがって、枠部４ｄを外した状態で面発光光源１を枠部４ａ〜４ｃの内側に挿入し１辺を溝６内に挿入し、枠部４ｄを支持体２に固定具９により固定するとき、枠部４ｄの支持側電極３の下面が光源側電極７、８に接触すると同時に発光面に垂直な方向に押しつけられ、一定の圧力が付与される。このような状態で面発光光源１が支持体２に固定される。固定具９はたとえばねじとプラスチックパネル２に埋設したナットとを用い、枠部４ｄに形成した挿通孔にねじを通してナットに締めつけるなどにより行うことができる。この場合枠部４ｄの樹脂弾性により電極３の下面で電極７、８に圧力を加えることができる。このように枠部４ｄは固定具９により面発光光源１をプラスチックパネル２に固定するとともに樹脂弾性を利用して枠部４ｄに設けた支持側電極３を光源側電極７、８に押圧するものであり、支持側電極３でも面発光光源１の保持を兼ねている。
【００１８】
支持側電極３の上面に電圧を印加すると面発光光源１は発光することができる。面発光光源１を外すときは上記と反対に枠部４ｄを外すことにより簡単に取り外すことができる。
【００１９】
これによって、光源側電極７、８と支持側電極３とは、面発光光源１の支持体２への着脱の際に互いに対向方向にのみ接触離間することとなり、支持体２は面発光光源１の取付時に光源側電極７、８の表面に平行な方向に面発光光源１が動かないように支持側電極３が光源側電極７、８の表面に対して垂直方向に押圧することができる。
【００２０】
この発明の第２の実施の形態を図２により説明する。すなわち、面発光光源１は第１の実施の形態と同様の構造であるが、面発光光源１の両辺にそれぞれ光源側電極７、８を有する。面発光光源１の支持体となる器具本体１０は面発光光源１を収納する凹部１１を上面に有し、凹部１１の両側に面発光光源１の光源側電極７、８を押さえ固定する固定部材１２を有する。固定部材１２は光源側電極７、８に接触する接点とばねを兼ねており、例えば略Ｚ字形に折曲した導電性板ばねを用いる。固定部材１２の一端側で光源側電極７、８を押さえ、固定部材１２の他端側に形成したねじ挿通孔にねじ１３を通して器具本体１０の雌ねじ１４にねじ締め固定する。これにより面発光光源１も器具本体１０に固定される。またねじ１３のねじ締めによりねじ１３の首部に給電線１５を接続する。面発光光源１を着脱する場合にはねじ１３を外して固定部材１３を外すことにより行う。なお、１６は固定部材１２がねじ締めなどの際に回動しないための位置決め突条例えばリブである。
【図面の簡単な説明】
【００２１】
【図１】（ａ）はこの発明の第１の実施の形態の断面図、（ｂ）は分解斜視図である。
【図２】（ａ）は第２の実施の形態の断面図、（ｂ）は平面図である。
【符号の説明】
【００２２】
１    面発光光源
２    支持体
３    支持側電極
４ａ〜４ｄ  枠部
７、８  光源側電極
９    固定部材
【図１】
2006331855.tif 000003
【図２】
2006331855.tif 000004